(57)【要約】      （修正有）【課題】部分共振モードおよび電流連続モードを備えたコントローラの動作方法を提供する。【解決手段】コントローラ１００は、トランス１０１、スイッチユニット１０３、負荷検出ユニット１０５および負荷１０９を備える。トランス１０１は、第一巻線１０１１および二次巻線１０１３を含み、負荷１０９は、二次巻線１０１３に連結し、およびスイッチユニット１０３は第一巻線１０１１に電気的に連結される。負荷検出ユニット１０５はスイッチユニット１０３および制御１０７に電気的に連結され、制御ユニット１０７はスイッチユニット１０３に電気的に連結される。【選択図】図１
2014068520.tif 000002
【特許請求の範囲】
【請求項１】
部分共振モードおよび電流連続モードを備えたコントローラであって：
第一巻線および第二巻線を含み、前記第二巻線が負荷に並列に接続するトランス；
前記第一巻線に電気的に連結されるスイッチユニット；
前記負荷の状態を検出するために前記スイッチユニットに電気的に連結される負荷検出ユニット；
前記負荷の前記状態に基づいて部分共振モードと電流連続モードとの間で前記コントローラを切替えるために前記スイッチユニットと前記負荷検出ユニットとの間に電気的に連結される制御ユニット；および
前記制御ユニットに電気的に連結されるゼロ交差検出回路を備えるコントローラ。
【請求項２】
前記スイッチユニットが、電界効果トランジスタであることを特徴とする請求項１に記載のコントローラ。
【請求項３】
請求項１に記載のコントローラであって、前記負荷の前記状態が電流であり、および前記負荷検出ユニットが：
前記スイッチユニットに直列に接続する抵抗器；および
電流検出回路、を備え、前記電流検出回路の一端が前記抵抗器と前記スイッチユニットとの間に接続し、および前記電流検出回路のもう一端が前記制御ユニットに接続することを特徴とするコントローラ。
【請求項４】
前記負荷の前記状態がパワーであり、および前記負荷検出ユニットがパワー検出回路であり、前記パワー検出回路の一端が前記スイッチユニットに接続し、および前記パワー検出回路のもう一端が前記制御ユニットに接続することを特徴とする請求項１に記載のコントローラ。
【請求項５】
部分共振モードおよび電流連続モードを備えたコントローラの動作方法であって、前記動作方法のステップが：
前記コントローラに接続される負荷の状態を検出するステップ；および
前記負荷の前記状態に基づいて部分共振モードと電流連続モードとの間で前記コントローラの動作モードを切替えるステップ；を含み、
前記負荷の前記状態が無負荷と典型的負荷との間にある場合、前記コントローラの前記動作モードが部分共振モードに切替えられ；および、前記負荷の状態が前記典型的負荷と最大負荷との間にある場合、前記コントローラの前記動作モードが電流連続モードに切替えられ；
前記部分共振モードが、負荷サイクルおよび周波数の両方を変えることによって動作され；ならびに、前記電流連続モードが負荷サイクルを変え、かつ周波数を固定することによって動作されることを特徴とする方法。
【発明の詳細な説明】
【技術分野】
【０００１】
本発明はコントローラおよびそれの動作方法に関し、より詳しくは、本発明は部分共振モードおよび電流連続モードを備えたコントローラに関し、ならびに、コントローラが負荷のレベルに基づいて部分共振モードと電流連続モードとの間でその動作モードを切替える。
【背景技術】
【０００２】
技術の急速な進展とともに、電子デバイスが人間の生活に一般に適用される。しかしながら、エネルギー不足と関連する課題が、日増しに深刻になる。したがって、人々は目下、エネルギーの使用効率を向上させる重要な問題に焦点を合わせることになっている。
【０００３】
フライバックコンバータは、低コスト、単純な回路フレーム、複数の出力のようないくつかの利点を有する。したがって、フライバックコンバータは通常、システム全体の必要パワーを印加するための補助パワー設計に利用される。
【０００４】
フライバックコンバータの回路フレームは、分離特性を備えたブーストバック変換回路として構成される。更に、フライバックコンバータはエネルギー変換とマッチする磁気エネルギーを蓄積して放出するために磁気インダクタンスを生成する磁気素子を使用する。
【０００５】
フライバックコンバータに適用する従来のコントローラの動作方法は、スイッチ素子（例えばトランジスタ素子）によって電流連続モード（ＣＣＭ）と電流不連続モード（ＤＣＭ）との間で切替えられる。例えば、上記のスイッチ法は、例えばいわゆるパルス幅変調（ＰＷＭ）制御技法を使用して、動作モードを切替えるためにハードスイッチ法を利用する。動作モードを切替えるためにこれらの種類のスイッチ法を使用して、コントローラはいくつかの課題を引き起こし、例えば、フライバックコンバータのパワースイッチャ（例えばトランジスタ素子）が寄生素子を生成する。更に、トランスが同様に寄生インダクタンスを生成する。パワースイッチャが動作モードを切替えるように指示される時、それらの現象は非ゼロ値を備えた過渡電圧または電流を引き起こす。大きな量のノイズが、また、この状態によって生成される。
【０００６】
したがって、ソフトスイッチ法を備えた部分共振フライバックコンバータが、開発される。ソフトスイッチ法は、スイッチングのエネルギー損を減少させてサージ電流の生成を限定するために利用される。短い期間内に導通するかまたは切断するために半導体スイッチデバイスが使用される時、ソフトスイッチ法はスイッチデバイスを通過する電流またはスイッチデバイスの二端の電圧を減少させる。したがって、従来のフライバックコンバータを適用するコントローラのＣＣＭおよびＤＣＭスイッチ法と比較して、部分共振フライバックコンバータのスイッチ法は効率を引き上げるためにスイッチングのエネルギー損を減少させてかつデバイスの温度を減少させる。しかしながら、トランスの性能は部分共振フライバックコンバータにおいて限界を有する。さらに、トランスの体積は現在の電子デバイスにとってなお巨大である。
【発明の概要】
【発明が解決しようとする課題】
【０００７】
本発明は、部分共振モードおよび電流連続モードを備えたコントローラを提供する。負荷が無負荷と典型的負荷との間にある時、コントローラは部分共振モードで動作し；および、負荷が典型的負荷と最大負荷との間にある時、コントローラは電流連続モードで動作する。コントローラの上記の動作方法はコントローラのトランスの性能を向上し、およびトランスの体積は実際上より小さくなる。
【０００８】
したがって、本発明の目的はコントローラのトランスの性能を向上してトランスの体積を実際上減少させることである。
【課題を解決するための手段】
【０００９】
上記の目的に取り組むために、本発明は、以下を備える部分共振モードおよび電流連続モードを備えたコントローラを提供する：トランス、スイッチユニット、負荷検出ユニットおよび制御ユニット。トランスは、第一巻線および二次巻線を有する。二次巻線は、負荷に並列に接続し、およびスイッチユニットは第一巻線に電気的に連結される。負荷検出ユニットは、負荷の状態を検出するためにスイッチユニットに電気的に連結する。制御ユニットは、スイッチユニットと負荷検出ユニットとの間を電気的に連結してかつ負荷の状態に基づいて部分共振モードと電流連続モードとの間で動作モードを切替えるために利用される。
【００１０】
他の点では、本発明はさらに部分共振モードおよび電流連続モードを備えたコントローラの動作方法を提供する。この動作方法のステップが、以下を含む：前記コントローラに接続する負荷の状態を検出するステップ；および負荷の状態に基づいて部分共振モードと電流連続モードとの間でコントローラの動作モードを切替えるステップ。
【００１１】
本発明の特定の実施態様において、スイッチユニットが電界効果トランジスタであり、特に、スイッチユニットが金属−酸化膜−半導体電界効果トランジスタ（ＭＯＳＦＥＴ）である。
【００１２】
本発明の特定の実施態様において、制御ユニットが集積回路（ＩＣ）チップである。
【００１３】
本発明の特定の実施態様において、コントローラがフライバックコンバータに適用される。
【００１４】
本発明の特定の実施態様において、負荷の検出状態が電流であり、および負荷検出ユニットが以下を更に備える：抵抗器および電流検出回路。抵抗器は、スイッチユニットに直列に接続する。電流検出回路の一端が抵抗器とスイッチユニットとの間に接続され、およびもう一端が制御ユニットに接続される。本発明の他の実施態様において、負荷の検出状態がパワーであり、および負荷検出ユニットがパワー検出回路である。パワー検出回路の一端がスイッチユニットに接続され、およびもう一端が制御ユニットに接続される。
【００１５】
本発明の特定の実施態様において、負荷の状態が無負荷と典型的負荷との間にある時、コントローラが部分共振モードで動作し；および、負荷の状態が典型的負荷と最大負荷との間にある時、コントローラが電流連続モードで動作する。この場合には、部分共振モードが負荷サイクルおよび周波数の両方を変えることによって動作され；ならびに、電流連続モードが負荷サイクルを変え、かつ周波数を固定することによって動作される。
【００１６】
さらに、本発明の特定の実施態様において、部分共振モードおよび電流連続モードを備えたコントローラが、以下を更に備える：制御ユニットに接続されるゼロ交差検出回路。したがって、部分共振モードでは、切断と導通との間のスイッチング損失が、減少させられる。
【００１７】
前述したように、本発明は部分共振モードおよび電流連続モードを備えたコントローラおよびそれの動作方法を開示する。コントローラは、部分共振モードおよび電流連続モードの両方の能力を有する。更に、コントローラは、電流連続モードにおいてトランスの性能を引き上げるために、かつ部分共振モードにおいてスイッチユニットによって切断と導通との間のスイッチングの損失を減少させるために、部分共振モードと電流連続モードとの間で動作モードを切替える。
【図面の簡単な説明】
【００１８】
本記述は、添付の図面を考慮して読み取られる以下の詳細な説明からよりよく理解される：
【００１９】
【図１】本発明に従う部分共振モードおよび電流連続モードを備えたコントローラの一実施態様を例示する模式図を例示する；
【図２】本発明に従う部分共振モードおよび電流連続モードと組み合わせる動作方法に対する一方法の流れ図を例示する；
【図３】本発明に従う部分共振モードおよび電流連続モードを備えたコントローラの別の実施態様を例示する模式図を例示する；および、
【図４】本発明に従う部分共振モードおよび電流連続モードを備えたコントローラのさらに別の実施態様を例示する模式図を例示する。
【発明を実施するための形態】
【００２０】
以下の記述は、本発明の実施態様の実現の例として与えられる例証を有する図に関する議論を含む。図面は、限定としてではなく例として理解されるべきである。本明細書で使用しているように、１つ以上の「実施態様」に対する参照が、本発明の少なくとも１つの実現に含まれる特定の特徴、構造または特性を記述すると理解されるべきである。したがって、ここに出現する「一実施態様において」または「一変更態様において」のような句は、本発明の種々の実施態様および実現を記述し、必ずしも全て同じ実施態様を参照するというわけではない。しかしながら、それらがまた、必ずしも排他的であるというわけではない。
【００２１】
下で記述される実施態様の一部または全てを表すことができる図の記述を含む、同じく、ここに提示される発明の概念の他の可能な実施態様または実現を検討する、特定の詳細および実現の記述が続く。本発明の実施態様の概要が下記で提供され、図面を参照してより詳細な説明が後に続く。
【００２２】
本発明の主要な態様は、コントローラおよびそれの動作方法において部分共振モードおよび電流連続モードを組み合わせることである。コントローラは、負荷のレベルに基づいて２つのモードのうち１つによって動作される。負荷がそれぞれの軽負荷として定義される時、コントローラは部分共振モードで動作し；および、負荷がそれぞれの高負荷として判定される時、コントローラは電流連続モードで動作する。したがって、２つのモードの欠陥が除去され、および２つのモードの利点が保持される。
【００２３】
より詳しくは、利点は、部分共振モードおよび電流連続モードを備えたコントローラが内部のトランスの性能を引き上げ、および、トランスの体積が実際上減少させられることである。
【００２４】
第一に、図１を参照して、それは本発明に従う部分共振モードおよび電流連続モードを備えたコントローラの一実施態様を例示する模式図を例示する。コントローラ１００が、以下を備える：トランス１０１、スイッチユニット１０３、負荷検出ユニット１０５および負荷１０９。
【００２５】
トランス１０１は、第一巻線１０１１および二次巻線１０１３を含む。負荷１０９は、二次巻線１０１３に連結し、およびスイッチユニット１０３は第一巻線１０１１に電気的に連結される。更に、負荷検出ユニット１０５はスイッチユニット１０３および制御１０７に電気的に連結され、および制御ユニット１０７はスイッチユニット１０３に電気的に連結される。
【００２６】
図面は本発明に関係する重要な素子を明確にかつ簡潔に例示するだけであることが予測される。したがって、いくつかの補助素子または追加素子はそれらの図面内に例示しない。しかしながら、当業者に対して、彼らはそれらの補助素子または追加素子がそれらの実施態様を実施するためにそれらの図面に加えられるべきであると理解するべきである。
【００２７】
図２を参照して、それは本発明に従う部分共振モードおよび電流連続モードと組み合わせる動作方法に対する一方法の流れ図を例示する。
【００２８】
最初は、負荷１０９がコントローラ１００に接続されるかまたは連結される（ステップ２０１）。
【００２９】
本発明では、負荷１０９は、本発明の部分共振モードおよび電流連続モードを備えたコントローラからパワーを引き出す、携帯電話またはコンピュータのような、任意の種類の電気製品である。したがって、負荷１０９のレベルは一定値でなく、種々のデバイスの供給パワーに依存している。したがって、負荷１０９のレベルは異なる種類の電気製品によって変えられる。さらに、同じ電気製品が充電される時でさえ、負荷１０９のレベルは異なる動作条件によってなお変更される。したがって、本発明の負荷１０９のカテゴリは、限定するためでなく記述するために使用されるだけである。
【００３０】
その後、負荷１０９の状態が検出される（ステップ２０３）。このステップでは、コントローラ１００に接続される負荷１０９の状態が、負荷検出ユニット１０５によって検出される。
【００３１】
スイッチユニット１０３は負荷検出ユニット１０５に電気的に連結され、およびスイッチユニット１０３はトランス１０１の第一巻線１０１１に接続される。したがって、コントローラ１００が動作している間、負荷検出ユニット１０５が負荷１０９の状態を検出する。
【００３２】
さらに、負荷検出ユニット１０５がまた、制御ユニット１０７に電気的に連結される。したがって、負荷検出ユニット１０５からの負荷１０９の検出状態が、次いで制御ユニット１０７に伝達される。
【００３３】
本発明の特定の実施態様では、制御ユニット１０７は集積回路（ＩＣ）チップであるが、これに限定しない。
【００３４】
更に、動作モードが負荷１０９の状態（またはレベル）に基づいてコントローラ１００に使用されるかどうか、制御ユニット１０７が判定される（ステップ２０５）。
【００３５】
負荷１０９の状態またはレベルが無（ゼロ）負荷と典型的（デフォルト）負荷との間にある時（ステップ２０７）、負荷のレベルはそれぞれの軽負荷として定義され、および制御ユニット１０７がスイッチユニット１０３を部分共振モードに切替える（ステップ２０９）。負荷１０９の状態またはレベルが、典型的（デフォルト）負荷と最大（最高の）負荷との間にある時（ステップ２１１）、負荷のレベルはそれぞれの高負荷として定義され、および制御ユニット１０７がスイッチユニット１０３を電流連続モードに切替える（ステップ２１３）。デフォルト負荷は、トランス性能に基づいて決定される。
【００３６】
本実施態様において、部分共振モードは、負荷サイクルおよび動作周波数の両方を変えることによって動作される動作モードであり；および、電流連続モードは、負荷サイクルを変え、かつ周波数を固定することによって動作される動作モードである。
【００３７】
したがって、コントローラ１００は負荷検出ユニット１０５経由で負荷１０９の状態を検出してかつ検出状態またはレベルを制御ユニット１０７に伝達する。更に、負荷１０９の状態が全回路のレベルを上げるために無負荷と典型的（デフォルト）負荷との間にある時、制御ユニット１０７がスイッチユニット１０３を部分共振モードに切替える。負荷１０９の状態が典型的（デフォルト）負荷と最大負荷との間にある時、制御ユニット１０７は、第一巻線１０１１の電流のパルスを減少させるために、かつトランス１０１の性能を引き上げる磁気コア内の磁束密度の効果を減少させるためにスイッチユニット１０３を電流連続モードに切替える。
【００３８】
例えば、トランス１０１が部分共振モードで典型的（デフォルト）出力パワーを供給する場合、同じ体積を有するトランス１０１は電流連続モードでより高いパワーを供給する。したがって、電流連続モードと部分共振モードを組み合わせることは、トランス１０１の性能を効果的に向上させる。
【００３９】
続いて、図３を参照して、それは本発明に従う部分共振モードおよび電流連続モードを備えたコントローラの別の実施態様を例示する模式図を例示する。本実施態様において、コントローラ３００がフライバックコンバータ内に適用される。
【００４０】
図１内のそれらと同じまたは類似したコントローラ３００のいくつかの素子は、簡潔にかつ明確にするために再び記述しないことが予測される。
【００４１】
コントローラ３００は、一般にトランス３０１、電界効果トランジスタ３０３、パワー検出回路３０５、制御３０７、負荷３０９およびゼロ交差検出回路３１１を備える。
【００４２】
この場合、トランス３０１は図１内のトランス１０１と同じであってかつ第一巻線３０１１および二次巻線３０１３を有する。本実施態様において、二次巻線３０１３はダイオードＤ１およびコンデンサＣ１に直列に接続され、および、負荷３０９はコンデンサＣ１に並列に接続される。
【００４３】
さらに、第一巻線３０１１の一端が電界効果トランジスタ３０３に連結され、および第一巻線３０１１のもう一端がコンデンサＣ２に連結される。
【００４４】
電界効果トランジスタ３０３は、図１内に例示するスイッチユニット１０３と類似しているスイッチ素子である。本発明の特定の実施態様では、電界効果トランジスタ３０３は金属−酸化膜−半導体電界効果トランジスタ（ＭＯＳＦＥＴ）である。
【００４５】
加えて、パワー検出回路３０５は、図１内に例示する負荷検出ユニット１０５と類似している素子である。したがって、パワー検出回路３０５は負荷３０９のパワーを検出するために利用される。さらに、制御ユニット３０７は図１内に例示する制御ユニット１０７と類似した素子である。同様に、パワー検出回路３０５の一端が電界効果トランジスタ３０３に接続され、およびパワー検出回路３０５のもう一端が制御ユニット３０７に接続される。
【００４６】
さらに、パワー検出回路３０５からの負荷３０９の検出パワーが制御ユニット３０７に伝達し、および負荷３０９の検出パワーが無負荷と典型的（デフォルト）負荷との間にあるか、または典型的（デフォルト）負荷と最大負荷との間にあるかどうか、制御ユニット３０７が判定する。例えば、負荷３０９の検出パワーが無負荷と典型的負荷との間にある時、制御ユニット３０７は電界効果トランジスタ３０３を部分共振モードに切替える（他方では、パワー検出回路３０５は典型的負荷のパワーより低いパワーを検出する）。パワー検出回路３０５が最大負荷のパワーより低くて典型的（デフォルト）負荷のパワーより高いパワーを検出する時、制御ユニット３０７は電界効果トランジスタ３０３を電流連続モードに切替える。
【００４７】
加えて、ゼロ交差検出回路３１１が制御ユニット３０７に電気的に連結される。この場合、ゼロ交差検出回路３１１の主要な機能は、スイッチャが切断である間、交差電圧の波底を検出することであり、かつスイッチングのエネルギー損を減少させるためにスイッチャを導通することである。本実施態様において、ゼロ交差検出回路３１１は部分共振モードで使用される。他の言葉では、スイッチングのエネルギー損は波底を切替えることによって減少させられる。
【００４８】
本実施態様において、ゼロ交差検出回路３１１はまた、ダイオードＤ２および別の第一巻線に電気的に接続される。しかしながら、ダイオードＤ２および別の第一巻線のような上記の素子が、任意の当業者によって実際的な要件に依存して加えられかまたは削除されるべきであると予測されるが、それはこれに限定されるべきでない。
【００４９】
したがって、コントローラ３００はパワー検出回路３０５経由で負荷３０９のパワーを検出してかつ検出パワーを制御ユニット３０７に伝達する。更に、負荷３０９のパワーが無負荷と典型的（またはデフォルト）負荷のパワーの間にある時、制御ユニット３０７は電界効果トランジスタ３０３を部分共振モードに切替える。この部分共振モードでは、ゼロ交差検出回路３１１がスイッチングのエネルギー損を減少させるために使用される。負荷３０９のパワーが典型的負荷と最大負荷のパワーの間にある時、制御ユニット３０７は第一巻線３０１１の電流のパルスを減少させてかつトランス３０１の性能を引き上げる磁気コア内の磁束密度の効果を減少させるために、電界効果トランジスタ３０３を電流連続モードに切替える。
【００５０】
続いて、図４を参照して、それは本発明に従う部分共振モードおよび電流連続モードを備えたコントローラのさらに別の実施態様を例示する模式図を例示する。本実施態様において、図３内に例示されるコントローラ３００のそれらの素子と同じかまたは類似したコントローラ４００のいくつかの素子は、簡潔にかつ明確にするために再び記述しない。２つのコントローラの間の差異だけが紹介される。
【００５１】
本実施態様において、コントローラ４００がフライバックコンバータに適用される。
【００５２】
コントローラ４００は、一般にトランス４０１、電界効果トランジスタ４０３、抵抗器４０５１、電流検出回路４０５３、制御ユニット４０７、負荷４０９およびゼロ交差検出回路４１１を備える。
【００５３】
この場合、トランス４０１は図１内に例示されるトランス１０１および図３内に例示されるトランス３０１と同じである。トランス４０１はさらに、第一巻線４０１１および二次巻線４０１３を有する。本実施態様において、コントローラ４００は図３内に例示されるコントローラ３００と同じであり、および二次巻線４０１３はダイオードＤ１’およびコンデンサＣ１’に直列に接続される。更に、負荷４０９はコンデンサＣ１’に並列に接続される。
【００５４】
さらに、第一巻線４０１１の一端が電界効果トランジスタ４０３に連結され、および第一巻線４０１１のもう一端がコンデンサＣ２’に連結される。
【００５５】
電界効果トランジスタ４０３は、図３に例示される電界効果トランジスタ３０３と同じスイッチ素子である。本発明の特定の実施態様では、電界効果トランジスタ４０３はＭＯＳＦＥＴであるが、これに限定しない。
【００５６】
したがって、この実施態様では、抵抗器４０５１を貫通する電流が、（負荷４０９の状態としての）負荷４０９の電流状態を得るために電流検出回路４０５３によって検出される。更に、負荷４０９の電流状態が制御ユニット４０７に伝達される。電流状態が無負荷と典型的負荷のそれらとの間にあるか、または典型的負荷と最大負荷のそれらとの間にあるかどうか、制御ユニット４０７が判定する。判定の結果に基づいて、コントローラ４００は電界効果トランジスタ４０３によって部分共振モードと電流連続モードとの間で切替えられる。
【００５７】
この場合には、制御ユニット４０７は、図１内に例示される制御ユニット１０７および図３内に例示される制御ユニット３０７と類似した素子である。したがって、制御ユニット４０７の機能は簡潔にかつ明確にするために再び記述しない。
【００５８】
加えて、ゼロ交差検出回路４１１が制御ユニット４０７に電気的に連結される。この場合には、ゼロ交差検出回路４１１は図３内に例示されるゼロ交差検出回路３１１と類似した素子である。したがって、ゼロ交差検出回路４１１の機能は簡潔にかつ明確にするために再び記述しない。部分共振モードでゼロ交差検出回路４１１を使用して、第一側部のスイッチ素子内のスイッチングのエネルギー損が減少させられ、および第二側部の整流化素子内のスイッチングのエネルギー損もまた、減少させられる。
【００５９】
同様に、この実施態様では、ゼロ交差検出回路４１１はまた、ダイオードＤ２’および別の第一巻線に電気的に接続される。しかしながら、ダイオードＤ２’および別の第一巻線のような上記の素子が、任意の当業者によって実際的な要件に依存して加えられかまたは削除されるべきであると予測されるが、それはこれに限定されるべきでない。
【００６０】
したがって、コントローラ４００は抵抗器４０５１および電流検出回路４０５３経由で負荷４０９の電流を検出してかつ検出パワーを制御ユニット４０７に伝達する。更に、負荷４０９の電流が無負荷と典型的負荷の電流の間にある時、制御ユニット４０７は電界効果トランジスタ４０３を部分共振モードに切替える。負荷４０９の電流が典型的負荷と最大負荷の電流の間にある時、制御ユニット４０７は第一巻線４０１１の電流のパルスを減少させてかつトランス４０１の性能を引き上げる磁気コア内の磁束密度の効果を減少させるために、電界効果トランジスタ４０３を電流連続モードに切替える。
【００６１】
前述したように、本発明は部分共振モードおよび電流連続モードを備えたコントローラおよびそれの動作方法を開示する。コントローラは、部分共振モードおよび電流連続モードの両方の能力を有する。更に、コントローラは、電流連続モードでトランスの性能を引き上げるために、かつ部分共振モードで全回路の効率を高めるために部分共振モードと電流連続モードとの間で動作モードを切替える。より詳しくは、本発明のコントローラの体積を減少させるために、本発明のコントローラ内のトランスの体積が効果的に減少させられる。
【００６２】
実施態様の上記の記述が例としてのみ与えられること、および種々の変更が当業者によってなされることができることが理解される。上記の仕様、例およびデータは、本発明の例示的な実施態様の構造および使用の完全な記述を提供する。本発明の種々の実施態様が特定の程度の詳細で、または一つ以上の個々の実施態様を参照して上記されたとはいえ、当業者は本発明の趣旨または有効範囲から逸脱することなく、開示された実施態様に対して多数の変更をなすことができる。
【符号の説明】
【００６３】
１００  コントローラ
１０１  トランス
１０３  スイッチユニット
１０５  負荷検出ユニット
１０７  制御ユニット
１０９  負荷
３００  コントローラ
３０１  トランス
３０３  電界効果トランジスタ
３０５  パワー検出回路
３０７  制御ユニット
３０９  負荷
３１１  ゼロ交差検出回路
４００  コントローラ
４０１  トランス
４０３  電界効果トランジスタ
４０７  制御ユニット
４０９  負荷
４１１  ゼロ交差検出回路
１０１１  第一巻線
１０１３  二次巻線
３０１１  第一巻線
３０１３  二次巻線
４０１１  第一巻線
４０１３  二次巻線
４０５１  抵抗器
４０５３  電流検出回路
Ｃ１、Ｃ１’、Ｃ２、Ｃ２’  コンデンサ
Ｄ１、Ｄ１’、Ｄ２、Ｄ２’  ダイオード
【図１】
2014068520.tif 000003
【図２】
2014068520.tif 000004
【図３】
2014068520.tif 000005
【図４】
2014068520.tif 000006